(57)【要約】【課題】  レーザーダイオードの固定位置を安定させること。【解決手段】  レーザーダイオードＬＤを収納した鍔部７ａ付きパッケージ７とホルダ８とを有し、該ホルダ８に同心状の大径部９Ａと小径部９Ｂとからなる嵌合孔９が貫設され、大径部９Ａの内周面に１つの位置決め突起１０と複数の嵌合突起１１とが周方向に所定間隔をおいて一体突設され、位置決め突起１０の端面が周方向に沿って嵌合孔９内に向かって傾斜する傾斜面１７とされ、該位置決め突起１０の両側面のうち、傾斜面１７の下端１７ａに接する一方側面が基準面１８とされており、鍔部７ａを傾斜面１７に当接した状態で右回転Ｒさせることにより、位置決め凹部１２を位置決め突起１０に嵌合させて該位置決め突起１０の基準面１８に位置決め凹部１２の右側内側面１２ａを当接させ、パッケージ７を嵌合孔９内に押し込んで鍔部７ａを嵌合突起１１間に圧入させる。【選択図】        図５
2009026417.tif 000002
【特許請求の範囲】
【請求項１】
ディスクの半径方向に沿って往復移動可能なスライドベースに発光部と対物レンズ付き
アクチュエータと読取用素子とが設けられ、前記発光部が、レーザーダイオードを収納し
た鍔部付きパッケージと、該パッケージを支持するためのホルダとを有し、該ホルダに同
心状の大径部と小径部とからなる嵌合孔が貫設され、前記大径部の内周面に１つの位置決
め突起と複数の嵌合突起とが周方向に所定間隔をおいて一体突設され、前記鍔部の外周面
に位置決め凹部が形成されており、該位置決め凹部を位置決め突起に嵌合させて鍔部を嵌
合突起間に圧入させることにより、パッケージを小径部に挿通し、レーザーダイオードか
らレーザ光を対物レンズを通してディスクに投射し、その反射光を対物レンズを通して読
取用素子で受光し、その受光信号に基づいてディスクに記録されている情報を読み取るよ
うにした光ピックアップにおいて、前記位置決め突起の端面が周方向に沿って嵌合孔内に
向かって傾斜する傾斜面とされ、該位置決め突起の両側面のうち、傾斜面の下端に接する
一方側面が基準面とされており、鍔部を傾斜面に当接した状態で回転させることにより、
位置決め凹部を位置決め突起に嵌合させて該位置決め突起の基準面に位置決め凹部の内側
面を当接させるようにしたことを特徴とする光ピックアップ。
【請求項２】
前記各嵌合突起が傾斜面の下端よりも低い位置に設けられており、位置決め凹部を位置
決め突起に嵌合させて該位置決め突起の基準面に位置決め凹部の内側面を当接させ、パッ
ケージを嵌合孔内に押し込むことにより、鍔部を嵌合突起間に圧入させるようにしたこと
を特徴とする請求項１に記載の光ピックアップ。
【請求項３】
ディスクの半径方向に沿って往復移動可能なスライドベースに発光部と対物レンズ付き
アクチュエータと読取用素子とが設けられ、前記発光部が、レーザーダイオードを収納し
た鍔部付きパッケージと、該パッケージを支持するためのホルダとを有し、該ホルダに同
心状の大径部と小径部とからなる嵌合孔が貫設され、前記大径部の内周面に１つの位置決
め突起と複数の嵌合突起とが周方向に所定間隔をおいて一体突設され、前記鍔部の外周面
に位置決め凹部が形成されており、該位置決め凹部を位置決め突起に嵌合させて鍔部を嵌
合突起間に圧入させることにより、パッケージを小径部に挿通し、レーザーダイオードか
らレーザ光を対物レンズを通してディスクに投射し、その反射光を対物レンズを通して読
取用素子で受光し、その受光信号に基づいてディスクに記録されている情報を読み取るよ
うにした光ピックアップにおいて、前記位置決め突起の端面が周方向に沿って嵌合孔内に
向かって傾斜する傾斜面とされ、該位置決め突起の両側面のうち、傾斜面の下端に接する
一方側面が基準面とされ、前記各嵌合突起が傾斜面の下端よりも低い位置に設けられてお
り、鍔部を傾斜面に当接した状態で回転させることにより、位置決め凹部を位置決め突起
に嵌合させて該位置決め突起の基準面に位置決め凹部の内側面を当接させ、パッケージを
嵌合孔内に押し込むことにより、鍔部を嵌合突起間に圧入させるようにしたことを特徴と
する光ピックアップ。
【発明の詳細な説明】
【技術分野】
【０００１】
本発明は、ディスク装置（例えばＤＶＤレコーダ、ＤＶＤプレーヤ、ＣＤプレーヤなど
）に使用される光ピックアップに関し、特に、レーザーダイオードの固定位置を安定させ
たものである。
【背景技術】
【０００２】
光ピックアップの概略を図７の概略図及び図８の要部の斜視図に基づいて説明すると、
これは、ディスクＤの半径方向に沿うガイドレール１にスライドベース２が往復移動可能
に係合され、該スライドベース２の表裏両面のうち、その一方面に一体突設した起立枠２
Ａに発光部３と対物レンズＯＬ付きアクチュエータ４とフォトダイオードからなる読取用
素子ＰＤ１とが設けられている。また、起立枠２Ａに、フォトダイオードからなる光量検
知用素子ＰＤ２、立ち上げミラーＭ及びハーフミラーＨＭが設けられている。なお、５は
スライドベース２の他方面に設けたプリント配線基板からなるメイン基板である。
【０００３】
情報読取手順を説明すると、ディスクＤを高速回転させ、アクチュエータ４を駆動して
、該アクチュエータ４に設けた支軸４ａに沿って対物レンズＯＬをフォーカス方向に移動
させると共に、該支軸４ａ回りで対物レンズＯＬをトラッキング方向に移動させ、発光部
３からレーザ光ａをハーフミラーＨＭ及び立ち上げミラーＭで反射し対物レンズＯＬを通
してディスクＤに投射し、その反射光ｂを対物レンズＯＬに通し立ち上げミラーＭで反射
しハーフミラーＨＭを通過して読取用素子ＰＤ１で受光させ、ディスクＤに記録されてい
る情報を読み取ると共に、レーザ光ａの光量を光量検知用素子ＰＤ２で検知する。
【０００４】
従来、前記発光部３の技術として図９〜図１５に示すものがあり、図９は同要部の正面
図、図１０は図９のＦ−Ｆ矢視図、図１１（ａ）は同嵌合孔の展開図、図１１（ｂ）はＧ
−Ｇ矢視図、図１１（ｃ）はＨ−Ｈ矢視図、図１１（ｄ）はＩ−Ｉ矢視図、図１１（ｅ）
はＪ−Ｊ矢視図、図１２は同要部の斜視図、図１３は同要部の分解斜視図、図１４（ａ）
及び（ｂ）は組立手順を示す説明図、図１５（ａ）及び（ｂ）は位置決め突起の中立状態
を示す概略説明図、図１５（ｃ）及び（ｄ）は位置決め突起の左寄り状態を示す概略説明
図、図１５（ｅ）及び（ｆ）は位置決め突起の右寄り状態を示す概略説明図である。
【０００５】
図９〜図１３に示すように、発光部３は、ＣＡＮパッケージタイプＬＤと称するレーザ
ーダイオードＬＤを収納した鍔部７ａ付きパッケージ７と、該パッケージ７を支持するた
めのホルダ８とを有し、該ホルダ８の中央に同心状の大径部９Ａと小径部９Ｂとからなる
嵌合孔９が貫設され、前記大径部９Ａの内周面に１つの位置決め突起１０と複数（この例
では３つ）の嵌合突起１１とが周方向に所定間隔をおいて一体突設され、その各嵌合突起
１１の内周面１１ａをつなぐ仮想円Ｓ（図１３参照）の外径Ｌ１が鍔部７ａの外径Ｌ２よ
りも例えば０．０１〜０．０５ｍｍ程度わずかに小さく設定され、該鍔部７ａの外周面に
位置決め凹部１２が形成され、位置決め突起１０の横幅ｋ１が位置決め凹部１２の横幅ｋ
２よりもわずかに小さく設定され、位置決め突起１０の端面１０ａがホルダ８の端面８ａ
と面一状に形成されると共に、各嵌合突起１１の端面１１ｂが位置決め突起１０の端面１
０ａとほど同一高さに設定されて嵌合孔９の中央に向かって下向きに傾斜されている。な
お、図１３中、１３はレーザーダイオードＬＤとグランドに接続した端子である。
【０００６】
組立手順を説明すると、図１４（ａ）に示すように、組立治具１５に取り付けたパッケ
ージ７の位置決め凹部１２をホルダ８の位置決め突起１０に同心状に位置決めした状態で
、該パッケージ７を下降させることにより、図１４（ｂ）に示すように、位置決め凹部１
２を位置決め突起１０に嵌合させ、パッケージ７を嵌合孔９内に押し込むことにより、鍔
部７ａを嵌合突起１１間に圧入させて大径部９Ａと小径部９Ｂとの間の棚面９ａ上に固定
する（図１０及び図１２参照）。
【０００７】
上記構成によれば、レーザーダイオードＬＤを作動させることにより発生する高熱をパ
ッケージ７から各嵌合突起１１を通ってホルダ８に逃がし、レーザーダイオードＬＤの高
熱による性能低下を防ぐ。なお関連する技術として特許文献１に記載したものがある。
【特許文献１】特開２００１−２８３４５６号公報
【発明の開示】
【発明が解決しようとする課題】
【０００８】
上記従来の構成では、位置決め凹部１２を位置決め突起１０に嵌合させるため、例えば
０．２ｍｍ程度の部品公差ｄがあり（ｄ＝ｋ２−ｋ１）、その部品公差ｄによって、位置
決め凹部１２に対して位置決め突起１０が中立位置〔図１５（ａ）〕、左寄り位置〔図１
５（ｂ）〕または右寄り位置〔図１５（ｃ）〕に不規則に位置決めされるため、ホルダ８
に対するパッケージ７の圧入位置決め精度が安定せず、レーザーダイオードＬＤの固定位
置もばらつくことになる〔図１５（ｂ）（ｄ）（ｆ）参照〕。このため、レーザーダイオ
ードＬＤからレーザ光ａを投射しディスクＤで反射させた反射光ｂを偏光させて読取用素
子ＰＤ１に入る受光量が設計値に比べて増減し、信号レベルが変動して読取誤差が生じる
ことがあり、ピックアップ特性が不安定である。
【０００９】
本発明は、上記従来の欠点に鑑み、レーザーダイオードの固定位置を安定させた光ピッ
クアップを提供することを目的としている。
【課題を解決するための手段】
【００１０】
上記目的を達成するため、請求項１に記載の発明は、ディスクの半径方向に沿って往復
移動可能なスライドベースに発光部と対物レンズ付きアクチュエータと読取用素子とが設
けられ、前記発光部が、レーザーダイオードを収納した鍔部付きパッケージと、該パッケ
ージを支持するためのホルダとを有し、該ホルダに同心状の大径部と小径部とからなる嵌
合孔が貫設され、前記大径部の内周面に１つの位置決め突起と複数の嵌合突起とが周方向
に所定間隔をおいて一体突設され、前記鍔部の外周面に位置決め凹部が形成されており、
該位置決め凹部を位置決め突起に嵌合させて鍔部を嵌合突起間に圧入させることにより、
パッケージを小径部に挿通し、レーザーダイオードからレーザ光を対物レンズを通してデ
ィスクに投射し、その反射光を対物レンズを通して読取用素子で受光し、その受光信号に
基づいてディスクに記録されている情報を読み取るようにした光ピックアップにおいて、
前記位置決め突起の端面が周方向に沿って嵌合孔内に向かって傾斜する傾斜面とされ、該
位置決め突起の両側面のうち、傾斜面の下端に接する一方側面が基準面とされており、鍔
部を傾斜面に当接した状態で回転させることにより、位置決め凹部を位置決め突起に嵌合
させて該位置決め突起の基準面に位置決め凹部の内側面を当接させるようにしたことを特
徴としている。
【００１１】
請求項２に記載の発明は、請求項１に記載の発明において、前記各嵌合突起が傾斜面の
下端よりも低い位置に設けられており、位置決め凹部を位置決め突起に嵌合させて該位置
決め突起の基準面に位置決め凹部の内側面を当接させ、パッケージを嵌合孔内に押し込む
ことにより、鍔部を嵌合突起間に圧入させるようにしたことを特徴としている。
【００１２】
請求項３に記載の発明は、ディスクの半径方向に沿って往復移動可能なスライドベース
に発光部と対物レンズ付きアクチュエータと読取用素子とが設けられ、前記発光部が、レ
ーザーダイオードを収納した鍔部付きパッケージと、該パッケージを支持するためのホル
ダとを有し、該ホルダに同心状の大径部と小径部とからなる嵌合孔が貫設され、前記大径
部の内周面に１つの位置決め突起と複数の嵌合突起とが周方向に所定間隔をおいて一体突
設され、前記鍔部の外周面に位置決め凹部が形成されており、該位置決め凹部を位置決め
突起に嵌合させて鍔部を嵌合突起間に圧入させることにより、パッケージを小径部に挿通
し、レーザーダイオードからレーザ光を対物レンズを通してディスクに投射し、その反射
光を対物レンズを通して読取用素子で受光し、その受光信号に基づいてディスクに記録さ
れている情報を読み取るようにした光ピックアップにおいて、前記位置決め突起の端面が
周方向に沿って嵌合孔内に向かって傾斜する傾斜面とされ、該位置決め突起の両側面のう
ち、傾斜面の下端に接する一方側面が基準面とされ、前記各嵌合突起が傾斜面の下端より
も低い位置に設けられており、鍔部を傾斜面に当接した状態で回転させることにより、位
置決め凹部を位置決め突起に嵌合させて該位置決め突起の基準面に位置決め凹部の内側面
を当接させ、パッケージを嵌合孔内に押し込むことにより、鍔部を嵌合突起間に圧入させ
るようにしたことを特徴としている。
【発明の効果】
【００１３】
請求項１に記載の発明によれば、鍔部を位置決め突起の傾斜面に沿って滑らすだけで、
位置決め凹部が位置決め突起に嵌合されて、該位置決め突起の基準面に位置決め凹部の内
側面が当接されるから、レーザーダイオードの固定位置を安定させることができる。従っ
て、レーザーダイオードからレーザ光を投射しディスクで反射させた反射光を偏光させて
読取用素子に入る受光量が設計値にほぼ一致し、信号レベルを安定させて読取誤差の発生
を防ぎ、ピックアップ特性を良好に維持することができる。
【００１４】
請求項２に記載の発明によれば、位置決め凹部を位置決め突起に嵌合させるまでは、鍔
部が各嵌合突起に接触されないから、その嵌合操作を容易に行なって、位置決め突起の基
準面に対して位置決め凹部の内側面を確実に当接させることができる。
【００１５】
その後、鍔部が嵌合突起間に圧入されるから、ホルダに対するパッケージの圧入位置決
め精度を高めて、そのパッケージをホルダに所望通りに固定することができる。
【００１６】
請求項３に記載の発明は実施の一形態（図１〜図６参照）に対応するものであって、こ
れによれば、鍔部を位置決め突起の傾斜面に沿って滑らすだけで、位置決め凹部が位置決
め突起に嵌合されて、該位置決め突起の基準面に位置決め凹部の内側面が当接されるから
、レーザーダイオードの固定位置を安定させることができる。従って、レーザーダイオー
ドからレーザ光を投射しディスクで反射させた反射光を偏光させて読取用素子に入る受光
量が設計値にほぼ一致し、信号レベルを安定させて読取誤差の発生を防ぎ、ピックアップ
特性を良好に維持することができる。
【００１７】
また、位置決め凹部を位置決め突起に嵌合させるまでは、鍔部が各嵌合突起に接触され
ないから、その嵌合操作を容易に行なって、位置決め突起の基準面に対して位置決め凹部
の内側面を確実に当接させることができる。
【００１８】
その後、鍔部が嵌合突起間に圧入されるから、ホルダに対するパッケージの圧入位置決
め精度を高めて、そのパッケージをホルダに所望通りに固定することができる。
【発明を実施するための最良の形態】
【００１９】
図１〜図６は本発明の実施の一形態である光ピックアップの要部を示すものであって、
図１は同要部の正面図、図２は図１のＡ−Ａ矢視図、図３（ａ）は同嵌合孔の展開図、図
３（ｂ）はＢ−Ｂ矢視図、図３（ｃ）はＣ−Ｃ矢視図、図３（ｄ）はＤ−Ｄ矢視図、図３
（ｅ）はＥ−Ｅ矢視図、図４は同要部の斜視図、図５は同要部の分解斜視図、図６（ａ）
及び（ｂ）は組立手順を示す説明図である。
【００２０】
図１〜図５に示すように、位置決め突起１０の端面１０ａが右回転Ｒ方向（または左回
転方向）に沿って所定の傾斜角度α（この実施の形態では３０°）で傾斜する傾斜面１７
とされ、該位置決め突起の両側面のうち、傾斜面１７の下端１７ａに接する一方側面が基
準面１８とされ、各嵌合突起１１の端面１１ｂが傾斜面１７の下端１７ａを通る水平仮想
線Ｐ〔図３（ａ）参照〕よりも低い位置に設けられている。
【００２１】
組立手順を説明すると、図６（ａ）に示すように、組立治具１５に取り付けたパッケー
ジ７の位置決め凹部１２の右側内側面１２ａを基準面１８よりもわずかの間隔βだけ左側
に寄せた状態で、パッケージ７を下降させることにより、図６（ａ）に仮想線で示すよう
に、鍔部７ａを傾斜面１７に当接させ、組立治具１５を右回転Ｒさせることにより、図６
（ｂ）に示すように、傾斜面１７に沿って鍔部７ａを滑らして位置決め凹部１２を位置決
め突起１０に嵌合させて該位置決め突起１０の基準面１８に位置決め凹部１２の右側内側
面１２ａを当接させ、鍔部７ａの右回転Ｒを停止させてパッケージ７をホルダ８内に押し
込むことにより、鍔部７ａを嵌合突起１１間に圧入させ、鍔部７ａを棚面９ａ上に固定す
る（図２及び図４参照）。
【００２２】
上記構成によれば、鍔部７ａを位置決め突起１０の傾斜面１７に沿って滑らすだけで、
位置決め凹部１２が位置決め突起１０に嵌合されて、該位置決め突起１０の基準面１８に
位置決め凹部１２の右側内側面１２ａが当接されるから、レーザーダイオードＬＤの固定
位置を安定させることができる。従って、レーザーダイオードＬＤからレーザ光ａを投射
しディスクＤで反射させた反射光ｂを偏光させて読取用素子ＰＤ１に入る受光量が設計値
にほぼ一致し、信号レベルを安定させて読取誤差の発生を防ぎ、ピックアップ特性を良好
に維持することができる（図７参照）。
【００２３】
また、位置決め凹部１２を位置決め突起１０に嵌合させるまでは、鍔部７ａが各嵌合突
起１１に接触されないから、その嵌合操作を容易に行なって、位置決め突起１０の基準面
１８に対して位置決め凹部１２の右側内側面１２ａを確実に当接させることができる。
【００２４】
その後、鍔部７ａが嵌合突起１１間に圧入されるから、ホルダ８に対するパッケージ７
の圧入位置決め精度を高めて、そのパッケージ７をホルダ８に所望通りに固定することが
できる。
【図面の簡単な説明】
【００２５】
【図１】本発明の実施の一形態である光ピックアップの要部を示す正面図である。
【図２】図１のＡ−Ａ矢視図である。
【図３】（ａ）は同嵌合孔の展開図、（ｂ）はＢ−Ｂ矢視図、（ｃ）はＣ−Ｃ矢視図、（ｄ）はＤ−Ｄ矢視図、（ｅ）はＥ−Ｅ矢視図である。
【図４】同要部の斜視図である。
【図５】同要部の分解斜視図である。
【図６】（ａ）及び（ｂ）は組立手順を示す説明図である。
【図７】光ピックアップの概略を示す概略図である。
【図８】同要部の斜視図である。
【図９】従来例を示す要部の正面図である。
【図１０】図９のＦ−Ｆ矢視図である。
【図１１】（ａ）は同嵌合孔の展開図、（ｂ）はＧ−Ｇ矢視図、（ｃ）はＨ−Ｈ矢視図、（ｄ）はＩ−Ｉ矢視図、（ｅ）はＪ−Ｊ矢視図である。
【図１２】同要部の斜視図である。
【図１３】同要部の分解斜視図である。
【図１４】（ａ）及び（ｂ）は組立手順を示す説明図である。
【図１５】（ａ）及び（ｂ）は位置決め突起の中立状態を示す概略説明図、（ｃ）及び（ｄ）は位置決め突起の左寄り状態を示す概略説明図、（ｅ）及び（ｆ）は位置決め突起の右寄り状態を示す概略説明図である。
【符号の説明】
【００２６】
２          スライドベース
３          発光部
４          アクチュエータ
７          パッケージ
７ａ        鍔部
８          ホルダ
９          嵌合孔
９Ａ        嵌合孔の大径部
９Ｂ        嵌合孔の小径部
１０        位置決め突起
１１        嵌合突起
１２        位置決め凹部
１２ａ      位置決め凹部の右側内側面
１７        傾斜面
１７ａ      傾斜面の下端
１８        基準面
ＬＤ        レーザーダイオード
Ｄ          ディスク
ＯＬ        対物レンズ
ＰＤ１      読取用素子
【図１】
2009026417.tif 000003
【図２】
2009026417.tif 000004
【図３】
2009026417.tif 000005
【図４】
2009026417.tif 000006
【図５】
2009026417.tif 000007
【図６】
2009026417.tif 000008
【図７】
2009026417.tif 000009
【図８】
2009026417.tif 000010
【図９】
2009026417.tif 000011
【図１０】
2009026417.tif 000012
【図１１】
2009026417.tif 000013
【図１２】
2009026417.tif 000014
【図１３】
2009026417.tif 000015
【図１４】
2009026417.tif 000016
【図１５】
2009026417.tif 000017